(57)【特許請求の範囲】
【請求項１】
フラットパネル型表示装置を設置面に対して所定の傾斜角度で支持するチルトスタンドであって、前記設置面に対向配置されるベース部材と、前記表示装置の背面に固着されていて前記ベース部材に対して前記表示装置の傾斜角度が変化する方向へ第一の軸回りに回動自在に軸支された連結部材と、逆Ｌ字形状またはＬ字形状に形成された側縁部と底部とを有していて前記ベース部材に対して第二の軸回りに回動自在に軸支されたストッパーと、を備え、
前記ストッパーは、前記第二の軸回りに一方向へ回転した状態で前記側縁部が前記連結部材側に突出してベース部材に当接させられた起立姿勢を維持し、前記ストッパーの起立姿勢で、前記連結部材を第一の軸回りに後方回転させることで前記表示装置を後方へ傾斜させたときに前記連結部材の端部が前記ストッパーの側縁部に当接することにより前記表示装置の傾斜角度を規制することを特徴とするチルトスタンド。
【請求項２】
請求項１記載のチルトスタンドであって、前記ストッパーは、前記第二の軸回りに前記一方向と逆方向へ回転させた状態で前記側縁部が連結部材の端部から離れて設置面側に後退した横転姿勢に維持され、前記連結部材を後方回転させることで前記表示装置を前記ベース部材に対して略平行になるまで傾斜させて横転姿勢の前記側縁部に当接させることによって折り畳み可能とするチルトスタンド。
【発明の詳細な説明】
【０００１】
【発明の属する技術分野】
本発明は、液晶ディスプレイモニターなどのフラットパネル型表示装置の傾斜角度を調整し得るチルトスタンドに関するものである。
【０００２】
【従来の技術】
液晶ディスプレイモニターなどのフラットパネル型表示装置を、ユーザーに見えやすくするために所定の傾斜角度に調整して支持する角度調整機構には種々のものが知られている。従来例としては、ベースとなる支持台にディスプレイ画面を有する表示装置を軸支した機構であって、ディスプレイ画面の傾斜角度を安定化するために、その軸部における部材間の摩擦力を調整したり、バネなどの弾性部材を用いて表示装置を傾斜方向に対し逆方向に弾性付勢したりしたものがある。
【０００３】
例えば、特開平８−２１４２３９号公報記載の画面表示装置では、画面表示装置を垂直方向に復帰させる板バネと、前記画面表示装置を傾斜させる駆動軸となるシャフトと、前記シャフトの駆動を固定させるシャフトホルダおよびロックネジとにより構成された機構が開示されている。
【０００４】
また特開平９−１３８６５５号公報には、ベースに軸支された表示装置を背後から支えるロックプレートに爪部とガイド部を設け、この爪部が引っ掛かるようにした複数の凸部をベースに設け、前記爪部をベース上の何れかの凸部に係止させることで、表示装置の傾斜角度を変えられる機構が開示されている。
【０００５】
また特開平５−１１９８６７号公報には、キーボードを有する本体と、液晶ディスプレイ部と、前記本体の端部に取り付けられた液晶ディスプレイ部を上下に回転自在に動かす上下回転部とを備えた液晶ディスプレイ型パーソナルコンピュータが開示されている。
【０００６】
【発明が解決しようとする課題】
しかしながら、上記したような従来の角度調整機構では、表示装置をコンパクトに折り畳むことが難しいという問題がある。例えば上記の特開平９−１３８６５５号公報記載の角度調整機構では、表示装置の背後に位置するロックプレートが邪魔になるため、ベースに対して表示装置を一定角度以上後方に回転させることが難しく、このため表示装置をコンパクトに折り畳むことができない。また上記の特開平８−２１４２３９号公報記載の画面表示装置では、液晶ディスプレイモニターのように比較的薄型の表示装置を想定しておらず、また表示装置を垂直方向に復帰させる板バネにより後方に回転させるのに限度があるため、コンパクトに折り畳むことができない。
【０００７】
また、特開平５−１１９８６７号公報に記載されるように、表示装置（液晶ディスプレイ部）を軸支する軸部の摩擦力のみで、ディスプレイ画面の後方傾斜角度を０〜９０°の範囲内で調整し得る角度調整機構もあるが、前記公報記載の表示装置は比較的小型でありその自重も小さい。しかしながら、近年、液晶ディスプレイモニタなどの薄型の表示装置は大型化の傾向にありその自重も大きい。そのため、表示装置の傾斜角度が大きいと表示装置はその自重により前記軸部の摩擦力に抗して転倒したり、傾斜角度が変動したりするという問題が生じる。前記摩擦力を大きくすることで表示装置の転倒などを防ぐことも可能であるが、そうすると逆に０〜４５°付近の通常の傾斜角度範囲における操作力が重くなり、操作性が低下するという問題があった。
【０００８】
以上の問題に鑑みて本発明が解決しようとするところは、表示装置を軸支する軸部の摩擦力を操作性の良好な範囲に設定しても、表示装置がその自重により転倒したり傾斜角度が変動したりすることを防止し、更にコンパクトに折り畳むことが可能なチルトスタンドを提供する点にある。
【０００９】
【課題を解決するための手段】
前記課題を解決するために、本発明の請求項１に係るチルトスタンドは、フラットパネル型表示装置を設置面に対して所定の傾斜角度で支持するチルトスタンドであって、前記設置面に対向配置されるベース部材と、前記表示装置の背面に固着されていて前記ベース部材に対して前記表示装置の傾斜角度が変化する方向へ第一の軸回りに回動自在に軸支された連結部材と、逆Ｌ字形状またはＬ字形状に形成された側縁部と底部とを有していて前記ベース部材に対して第二の軸回りに回動自在に軸支されたストッパーと、を備え、
前記ストッパーは、前記第二の軸回りに一方向へ回転した状態で前記側縁部が前記連結部材側に突出してベース部材に当接させられた起立姿勢を維持し、前記ストッパーの起立姿勢で、前記連結部材を第一の軸回りに後方回転させることで前記表示装置を後方へ傾斜させたときに前記連結部材の端部が前記ストッパーの側縁部に当接することにより前記表示装置の傾斜角度を規制することを特徴とするものである。
【００１０】
また請求項２に係る発明は、請求項１記載のチルトスタンドであって、請求項１記載のチルトスタンドであって、前記ストッパーは、前記第二の軸回りに前記一方向と逆方向へ回転させた状態で前記側縁部が連結部材の端部から離れて設置面側に後退した横転姿勢に維持され、前記連結部材を後方回転させることで前記表示装置を前記ベース部材に対して略平行になるまで傾斜させて横転姿勢の前記側縁部に当接させることによって折り畳み可能とするものである。
【００１１】
【発明の実施の形態】
以下、図面を参照しながら本発明の実施の形態に係るチルトスタンドについて説明する。図１は、本実施の形態に係るチルトスタンド１にフラットパネル型表示装置２を装着した状態を示す概略斜視図である。表示装置２は、前面に液晶画面などのディスプレイ画面（図示せず）を備えた比較的薄型のフラットパネル型表示装置である。また図２は、前記チルトスタンド１を背後から見た斜視図であり、図３は、前記チルトスタンド１の正面図、図４は、その右側面図である。
【００１２】
図１に示すように本実施の形態のチルトスタンド１は、連結部材１１を表示装置２の背面２ｂと固着し、またチルトスタンド１の下部構造のベース部材１０を脚部３に固定して使用される。
【００１３】
前記チルトスタンド１は、脚部３に固定されるプレート状でコ字状のベース部材１０と、前記ベース部材１０に対して前方または後方に回動自在に軸支された板状の連結部材１１と、前記ベース部材１０に対して前方または後方に回動自在に軸支されたストッパー１２，１３と、を備えている。
【００１４】
前記ベース部材１０は、電気亜鉛メッキ鋼板（ＳＥＣＣ；ＪＩＳ  Ｇ  ３３１３）などの鋼板から形成され、使用時には脚部３に固定された状態で設置面４と対面配置される。図１，図３に示すようにこのベース部材１０の一部領域を切り起こすことによりストッパー１２，１３を軸支する切り起こし部２０，２１が立設されている。また図１に示すようにベース部材１０の一部領域を切り起こした跡には開口部２２，２３が形成されている。
【００１５】
また図３の正面図に示すように一方のブラケット部材１５は鋼板を逆Ｌ字形状に折り曲げ形成したものであり、その底部１５ａはネジなどを用いてベース部材１０の表面に固定され、その側壁部１５ｂはベース部材１０の表面に対して立設されている。また他方のブラケット部材１６は、前記ブラケット部材１５と左右対称で構成されるように鋼板をＬ字形状に折曲げ形成したものであり、その底部１６ａはベース部材１０の表面に固定され、その側壁部１６ｂはベース部材１０の表面に対して立設されている。尚、ブラケット部材１５，１６は、冷間圧延鋼板（ＳＰＣＣ；ＪＩＳ  Ｇ  ３１４１）などの鋼板から形成される。
【００１６】
また前記連結部材１１は、冷間圧延鋼板などの鋼板からなり、前記ブラケット部材１５，１６に軸支されており、摩擦力を付与された状態で軸Ａ１の回りに回動する。また連結部材１１は図１に示したように表示装置２の重量を受けてチルトスタンド１の下部構造のベース部材１０に伝達する機能を有している。
【００１７】
このような連結部材１１の斜視図を図５に示してこれを説明する。連結部材１１は、前記表示装置２の背面２ｂを表面に固着する本体部１１ａと、この本体部１１ａの下方の両側端部において本体部１１ａの表面に対して約９０°の角度で折り曲げ形成された折曲部１７，１８とを備えたものである。前記折曲部１７，１８と連続する本体部１１ａの両側端部にはそれぞれ切り欠き１１ｂ，１１ｃが形成されている。これら切り欠き１１ｂ，１１ｃは本体部１１ａに対する折曲部１７，１８の曲げ精度を高めるための、いわゆる逃げである。また前記折曲部１７，１８には取付部材を挿通するための貫通孔１７ａ，１８ａが切削形成されている。
【００１８】
図６は、このような連結部材１１の折曲部１７をブラケット部材１５に軸支する機構を示す、正面側から見た要部拡大図である。図示するように連結部材１１の折曲部１７の内側面にシャフト６１を同軸状に配し、ねじ６０の軸部６０ｂを折曲部１７の貫通孔１７ａに挿通しシャフト６１に螺合させて、折曲部１７にシャフト６１が固定される。またシャフト６１の先端の軸部６１ａを座金６７を介してブラケット部材１５の側壁部１５ｂの貫通孔に挿通し、更に前記軸部６１ａに座金６２，６３、ばね座金６４，６５および座金６６を順に外嵌した後に、シャフト６１の軸部６１ａをかしめることにより前記座金６６を折曲部１７の方向へ押圧する。これにより折曲部１７とブラケット部材１５の側壁部１５ｂとの間に摩擦力が付与されることとなる。尚、連結部材１１の他方の折曲部１８をブラケット部材１６に軸支する機構も、正面側から見て左右対称である点を除けば前述の折曲部１７を軸支する機構と同じであるから、その詳細な説明を省略する。
【００１９】
このように折曲部１７，１８とブラケット部材１５，１６との間に摩擦力を付与した状態で、連結部材１１はベース部材１０に対して軸Ａ１の回りに回動自在に軸支される。
【００２０】
次に、上記ストッパー１２，１３を示す概略斜視図を図７に示して詳説する。
図７（ａ）に示すストッパー１２は図３に示した切り起こし部２０に軸支される部材であり、同図（ｂ）に示すストッパー１３は他方の切り起こし部２１に軸支される部材である。本実施の形態では、ストッパー１２，１３は冷間圧延鋼板などの鋼板から形成されている。図７（ａ）に示すストッパー１２は、側壁部１２ａと底部１２ｂによる逆Ｌ字形状を有し、その側壁部１２ａには取付部材を挿通するための貫通孔１２ｃが穿設されており、同図（ｂ）のストッパー１３は、側壁部１３ａと底部１３ｂによるＬ字形状を有し、その側壁部１３ａには取付部材を挿通するための貫通孔１３ｃが穿設されている。また側壁部１２ａ，１３ａの上部側縁部は三角形状をなしており、後に詳述するようにその側縁部の斜面に連結部材１１の端部が当接することで表示装置２の傾斜角度を規制する。また、これらストッパー１２，１３の底部１２ｂ，１３ｂの側縁部に段差が設けられており、これら段差により後述する当接部１２ｄ，１３ｄが形成されている。
【００２１】
図８は、このようなストッパー１２を切り起こし部２０に軸支する機構の一例を示す、正面側から見た要部拡大図である。図示するように切り起こし部２０の外側面にシャフト４７を同軸状に配し、ねじ４６の軸部４６ｂを切り起こし部２０の貫通孔に挿通しシャフト４７に螺合させて、切り起こし部２０にシャフト４７が固定される。またシャフト４７の先端の軸部４７ａを座金４０を介してストッパー１２の側壁部１２ａの貫通孔に挿通し、更に前記軸部４７ａに座金４１，４２、ばね座金４３，４４および座金４５を順に外嵌し、シャフト４７の軸部４７ａをかしめることにより座金４５を切り起こし部２０の方向に押圧する。これによりストッパー１２と切り起こし部２０との間に適度な摩擦力が付与される。
このような摩擦力によりベース部材１０に対してストッパー１２を操作性良く回動させることが可能となる。前記ばね座金４３，４４としては、例えば円環状の薄板にねじれた歯を付した波形座金を用いればよい。尚、本発明ではこのような軸支機構に限らず、バネ座金や座金を用いずにストッパー１２と切り起こし２０との間に摩擦力を付与しなくても構わない。また、他方の切り起こし部２１にストッパー１３を軸支する機構も、正面側から見て左右対称である点を除けば前述のストッパー１２を軸支する機構と同じであるから、その詳細な説明を省略する。
【００２２】
図９は、このようなストッパー１２を右側面から見た要部拡大図である。また図９はベース部材１０に設けた開口部２２が現れるようにベース部材１０の断面を示している。尚、図１〜４および図９に示した例では連結部材１１とベース部材１０とがなす角度は９０°である。
【００２３】
上記チルトスタンド１の使用時、すなわちユーザーがチルトスタンド１に固定した表示装置２を使用しているときは、図９に示すようにユーザーはストッパー１２を開口部２２において軸Ａ２の回りに時計回り方向へ回転させ、その側縁部を開口部２２の内壁と当接させて起立姿勢をとらせる。この状態でストッパー１２，１３は設置面４に底部１２ｂ，１３ｂの底面を支持されることにより起立姿勢が固定されている。
【００２４】
また表示装置２を軸Ａ１の回りに後方へ回転させた場合には、図１０に示すように連結部材１１の端部１１ｄおよび１１ｅが、それぞれ起立姿勢をとるストッパー１２の側壁部１２ａおよびストッパー１３の側壁部１３ａの上部側縁部と当接するために、連結部材１１とベース部材１０とがなす角度θmin未満に表示装置２を傾斜させることができず、これにより表示装置２の傾斜角度を規制することができる。図７に示したように側壁部１２ａ，１３ａの上部側縁部は三角形状をなすため、その上部側縁部は連結部材１１の端部１１ｄ，１１ｅを止めて支持し易く、また開口部２２において引っ掛かること無く回動し易いという利点を有する。また図１１は、図１０のように傾斜させた表示装置２、チルトスタンド１および脚部３を後方且つ若干下方から見た斜視図である。このような構成により、連結部材１１の折曲部１７，１８とブラケット部材１５，１６との間の摩擦力をユーザーが操作し易いようなものに設定したとしても、表示装置２の傾斜角度が所定範囲内に規制されるために表示装置２の重心は後方へ著しく移動することが無く、表示装置２は自重によりその摩擦力に抗して後方へ転倒することが防止される。
【００２５】
他方、チルトスタンド１の不使用時、すなわちユーザーが表示装置２を収納したり梱包したりするときは、図９に示すようにユーザーは設置面４から脚部３すなわちベース部材１０を浮かせることによりストッパー１２，１３を開口部２２，２３において逆方向に回転させ、図９の一点鎖線に示すようにストッパー１２，１３の底部１２ｂ，１３ｂを開口部２２の内壁と当接させ、ストッパー１２，１３に横転姿勢をとらせる。これにより連結部材１１の端部１１ｄ，１１ｅは、ストッパー１２，１３の側壁部１２ａ，１３ａと当接しなくなるため、上述の表示装置２の傾斜角度の規制は解除される。したがって、図１２に示すように軸Ａ１の回りに表示装置２を回転させてベース部材１０と略平行な位置まで傾斜させることができるため、表示装置２をコンパクトに折り畳むことができ、収納時や梱包輸送時における製品の容積を容易に最小化することが可能となる。
【００２６】
尚、本実施の形態では、ストッパー１２，１３を反時計回りに回転させ、表示装置２の傾斜角度の規制を解除させる構造を採用したが、この代わりに、ストッパー１２，１３を時計回りに回転させて表示装置２の傾斜角度の規制を解除する構造を採用しても構わない。
【００２７】
また図１３は、図１２のように傾斜させた表示装置２、チルトスタンド１および脚部３を後方から見た斜視図である。ベース部材１０はねじ８０，８１，８２，８３，８４，８５を用いて脚部３に固定されている。このベース部材１０の開口部２２，２３から突出したストッパー１２，１３の当接部１２ｄ，１３ｄはベース部材１０の底面と当接し係止している。これにより表示装置２の折り畳み時におけるストッパー１２，１３の横転姿勢を安定化することができる。尚、このようにストッパー１２，１３に当接部１２ｄ，１３ｄを設ける代わりに、ベース部材１０の開口部２２，２３に突起部を設け、表示装置２の折り畳み時にストッパー１２，１３の底部１２ｂ，１３ｂがその突起部と当接し係止する構造を採用してもよい。
【００２８】
【発明の効果】
以上の如く、本発明の請求項１に係るチルトスタンドによれば、起立姿勢にあるストッパーにより表示装置の傾斜角度が規制されるから、連結部材を軸支する軸部における摩擦力をユーザーが使用し易いものに設定したとしても、表示装置の重心が著しく後方へ移動することが無く、表示装置が自重により転倒することを防止することが可能となる。
【００２９】
また請求項２によれば、ストッパーを回転させて前記起立姿勢から横転姿勢にすることにより表示装置の傾斜角度の規制が解除されるから、表示装置をベース部材と略平行になるまで傾斜させてコンパクトに折り畳むことができ、収納時や梱包輸送時においてその容積を容易に最小化させることが可能となる。
【図面の簡単な説明】
【図１】  本発明の実施の形態に係るチルトスタンドに表示装置を装着した状態を示す概略斜視図である。
【図２】  実施の形態に係るチルトスタンドを後方から見た斜視図である。
【図３】  実施の形態に係るチルトスタンドの正面図である。
【図４】  実施の形態に係るチルトスタンドの右側面図である。
【図５】  連結部材の斜視図である。
【図６】  ブラケット部材に連結部材が軸支される機構を示す要部拡大図である。
【図７】  ストッパーの斜視図である。
【図８】  ベース部材にストッパーが軸支される機構を示す要部拡大図である。
【図９】  ベース部材に対するストッパーの姿勢を示す説明図である。
【図１０】  最大角度θminまで傾斜された連結部材を示すチルトスタンドの側面図である。
【図１１】  表示装置、チルトスタンドおよび脚部を後方且つ若干下方から見た斜視図である。
【図１２】  ベース部材に対して略平行になるまで傾斜されたベース部材を示すチルトスタンドの側面図である。
【図１３】  折り畳み状態にある表示装置、チルトスタンドおよび脚部を後方から見た斜視図である。
【符号の説明】
１  チルトスタンド、１０  ベース部材、１１  連結部材、１５，１６  ブラケット部材、１２，１３  ストッパー。
【図１】
0004572021.tif 000002
【図２】
0004572021.tif 000003
【図３】
0004572021.tif 000004
【図４】
0004572021.tif 000005
【図５】
0004572021.tif 000006
【図６】
0004572021.tif 000007
【図７】
0004572021.tif 000008
【図８】
0004572021.tif 000009
【図９】
0004572021.tif 000010
【図１０】
0004572021.tif 000011
【図１１】
0004572021.tif 000012
【図１２】
0004572021.tif 000013
【図１３】
0004572021.tif 000014